(57)【特許請求の範囲】
【請求項１】
レンヂフード等の家具下部や天井の下面に取り付けたボトム板の開口から挿入・取付けられる取付ケースを介して、レンヂ等の家具の上面を照らすランプを支持したダウン灯において、
前記取付ケースの下端開口、またはこれに取り付けられる装飾板に、前記ボトム板の開口を覆うフランジを一体化するとともに、このフランジの内側に支持枠を取付け、かつ前記取付ケースの外側面に固定脚片を取付け、
この固定脚片の下端に、前記取付ケースが前記開口内に完全に収納されたとき前記ボトム板の開口端縁の内側であって前記フランジ上面に係合したままとなる第１係合片と、この第１係合片より短くして、前記ボトム板の内側上面に係合することになる第２係合片とを形成するとともに、
前記支持枠を、前記取付ケースの下部内面に形成した係合凹所、または前記装飾板に形成した取付穴に係止される支持爪と、この支持爪が一体化されていて前記ランプの下面外周を前記取付ケースに対して支持することになる受止めフランジとにより構成したことを特徴とするダウン灯。
【発明の詳細な説明】
【０００１】
【発明の属する技術分野】
本発明は、レンヂフード等の家具下部や天井の下面に取り付けられて、レンヂ等の家具の上面を照らすダウン灯に関し、特に家具下部等に取付けたボトム板の開口から挿入・取付される取付ケースを備えたダウン灯に関するものである。
【０００２】
【従来の技術】
ダウン灯は、例えば図１に示すように、レンヂフードの下部に設けられて、当該レンヂフードの下方にあるレンヂまたはその上の調理器具を照らすものでありその他にも、天井に取り付けて部屋内の照明を行ったり、本棚付勉強机等についても使用されているものである。
【０００３】
このようなダウン灯は、これを支持しているレンヂフード等の中に収納して取り付けられるものであり、かつその下面をレンヂフード等の下面と略同一とするために、例えば図８に示すような構造になっている。すなわち、図８に示した従来のダウン灯は、そのランプを支持しているケースを、レンヂフード等の下面に取り付けられるボトム板２００の開口２１０から内部に挿入して、ボトム板２００に固定しなければならないものであるため、先端が下方に向けて弾発的に揺動するスプリングをケースに取り付けるようにしている。つまり、この従来のダウン灯は、各スプリングをケース側にはね上げた状態にして開口２１０から挿入し各スプリングがボトム板２００の内部に完全納まったときこれを自由にすることにより、各スプリングの弾発力により、ボトム板２００の内面側に支持されるのである。
【０００４】
ところが、このようなスプリングを使用した場合には、当然その揺動範囲が十分なければならないため、天井のように内面側に大きな空間が存在するものに対して適用することはできるが、一つのものとして完成して十分な余裕空間を有していないレンヂフード等のようなものに対しては、適用することができないものである。また、図８に示したようなスプリングを使用したダウン灯では、このスプリングの弾発力がだんだん弱まってきて、当該ダウン灯そのものがボトム板２００から下がってきてしまう問題がある。
【０００５】
ダウン灯がボトム板２００から下れば、非常に見栄えが悪いだけでなく、ダウン灯とボトム板２００との間に隙間が形成されることになる。この隙間は、仮に当該ダウン灯がレンヂフードについて使用されるものであると、ダウン灯内に油煙を侵入させる通路となる。油煙は、ダウン灯のランプに非常に悪影響を与えるものであり、特にこれがキセノンランプであると、その寿命を１／１０以下にも低減させてしまう原因物質である。一方、以上のようなダウン灯とボトム板２００との間の隙間が天井側に形成されるような場合には、部屋の気密性が損なわれてしまうことになるのは当然である。
【０００６】
そこで、本発明者は、この種のダウン灯における上記の問題を解決するにはどうしたらよいか、について種々検討を重ねてきた結果、本発明を完成したのである。
【０００７】
【発明が解決しようとする課題】
本発明は、この種のダウン灯における以上のような問題に鑑みてなされたもので、その解決しようとする課題は、この種のダウン灯のボトム板２００に対する取付を簡単に行えるようにすることである。
【０００８】
すなわち、本発明の目的とするところは、レンヂフード等の家具下部や天井の下面に対して、レンヂ等の家具上面を照らすダウン灯の取付を簡単に行うことができ、取付後はその支持固定を長期間確実に維持することができて、十分な気密性を維持することのできるダウン灯を簡単な構成によって提供することにある。
【０００９】
【課題を解決するための手段】
以上の課題を解決するために、本発明の採った手段は、後述する実施の形態の説明中で使用する符号を付して説明すると、
「レンヂフード等の家具下部や天井の下面に取り付けたボトム板２００の開口２１０から挿入・取付けられる取付ケース１０を介して、レンヂ等の家具の上面を照らすランプ３０を支持したダウン灯１００において、
取付ケース１０の下端開口１１、またはこれに取り付けられる装飾板２０に、ボトム板２００の開口２１０を覆うフランジ２１を一体化するとともに、このフランジ２１の内側に支持枠４０を取付け、かつ取付ケース１０の外側面に固定脚片５０を取付け、
この固定脚片５０の下端に、取付ケース１０が開口２１０内に完全に収納されたとき、ボトム板２００の開口２１０端縁の内側であってフランジ２１上面に係合したままとなる第１係合片５１と、この第１係合片５１より短くして、ボトム板２００の内側上面に係合することになる第２係合片５２とを形成するとともに、
支持枠４０を、取付ケース１０の下部内面に形成した係合凹所、または装飾板２０に形成した取付穴２２に係止される支持爪４１と、この支持爪４１が一体化されていてランプ３０の下面外周を取付ケース１０に対して支持することになる受止めフランジ４２とにより構成したことを特徴とするダウン灯１００」
である。
【００１０】
すなわち、このダウン灯１００は、図１に示すように、例えば台所に設置されるレンヂの上方に配置されるレンヂフードに取り付けられて、レンヂまたはその上に載置される調理器具を照らすものである。そして、このダウン灯１００は、図２に示すように、レンヂフードの下部空間内に収納されて、当該レンヂフードの下面を覆うボトム板２００に対して固定されるものである。
【００１１】
本発明に係るダウン灯１００は、図３に示すように、主として取付ケース１０と、この取付ケース１０に一体化されてボトム板２００の開口２１０を覆う装飾板２０と、取付ケース１０内に収納されるランプ３０とを有したものである。そして、取付ケース１０の外側面には、図３〜図６に示すような、本発明の重要構成部材である固定脚片５０が、実施形態の場合には左右一対のものとして取り付けてある。
【００１２】
各固定脚片５０は、図３にも示すように、その下端の各第１係合片５１及び第２係合片５２が僅かに外方に開がるように取付ケース１０側に取り付けたものであり、かつ、図５に示すように、中央に位置する第１係合片５１の両側に、この第１係合片５１より短くした一対の第２係合片５２を配置したものである。
【００１３】
ここで、その中にランプ３０を収納した取付ケース１０をボトム板２００内に挿入して取り付けるには、図２に示したような方向の取付ケース１０をボトム板２００の開口２１０から単に挿入すればよい。何故なら、各固定脚片５０の上端は取付ケース１０の外周に大きく突出するものではなく、各固定脚片５０は弾力性を有したものであるから、各固定脚片５０を折り畳むことなくボトム板２００の開口２１０から内側内に挿入できるからである。
【００１４】
このように取付ケース１０をボトム板２００の内側に挿入していくと、取付ケース１０の下端開口１１に一体化した装飾板２０のフランジ２１がボトム板２００の下面に当接するが、そのとき、第１係合片５１より短くした第２係合片５２が、その弾性力によって跳ね上がり、ボトム板２００の内側上面に係合することになる。これに対して、各固定脚片５０の第１係合片５１は跳ね上がることはなく、ボトム板２００の開口２１０端縁の内側であってフランジ２１上面に係合したままとなるのである。
【００１５】
以上のようにして、図２の状態にまで挿入された取付ケース１０は、その下方への動きを、ボトム板２００の内側上面に係合した第２係合片５２によって阻止されるのであり、かつ固定脚片５０全体が図２に示したような僅かな屈曲状態になることによって、取付ケース１０の上方への支持が各第１係合片５１を介した固定脚片５０全体の弾発力によってなされるのである。固定脚片５０の屈曲状態は、図２にも示したように僅かなものであるから、当該取付ケース１０のボトム板２００に対する支持が長期間になったとしても、固定脚片５０の弾力性が減退することはなく、その支持固定状態は長期間確実に維持されるのである。
【００１６】
従って、当該ダウン灯１００は、ボトム板２００に対する固定を容易に行うことができるものとなっているだけでなく、固定後においては、ボトム板２００に対する支持が確実になされて、取付ケース１０側とランプ３０等の間に、油煙等の気体の流れを許容するような隙間を形成することがないものとなっているのである。
【００１７】
なお、このダウン灯１００について、図７に示すように、ランプ３０と取付ケース１０との間に、ランプ３０をフランジ２１側に押圧するスプリング６０を介装すれば、ランプ３０がスプリング６０によってフランジ２１側に常に押圧されているから、レンヂフード等に与えられるスイッチ操作時等の振動によって、ランプ３０が振動したり位置ずれしたりすることはなく、ランプ３０のボトム板２００に対する支持が確実になされるのである。また、仮にボトム板２００が傾斜するものであったとしても、ランプ３０はスプリング６０によってフランジ２１側に常に押圧されているのであるから、このランプ３０と取付ケース１０側との間に隙間が形成されることはなく、油煙や冷たい空気の流れを許容する隙間を形成するようなことはないのである。
【００１８】
また、図２に示す実施形態のダウン灯１００では、取付ケース１０内に収納されるランプ３０の下面を、取付ケース１０の下端開口１１に取り付けられる支持枠４０の受け止めフランジ４２によって受け止めるようにしているから、ランプ３０を交換する際の作業を行い易くしている。このことは、図７に示す実施形態のダウン灯１００についても同様である。
【００１９】
すなわち、図２及び図７に示したダウン灯１００においては、交換したいランプ３０の下面を少し押し上げると、ランプ３０と支持枠４０側の受け止めフランジ４２との間に手指や工具が入れられる隙間を形成することができるようになっているのである。従って、この隙間内に工具等を挿入してこじれば、支持枠４０を取付ケース１０側から簡単に外すことができるのである。何故なら、支持枠４０は、各支持爪４１を介して装飾板２０または取付ケース１０側に単に係合してあるだけだからである。
【００２０】
以上のようにして支持枠４０を取付ケース１０から取り外せば、ランプ３０を簡単に取り出すことができるから、その交換作業を、当該ダウン灯１００の外部で簡単に行うことができるのである。
【００２１】
以上のような本発明に係るダウン灯１０の作用は、図１に示したレンヂフードの場合は勿論、その他にも、天井に取り付けて部屋内の照明を行ったり、本棚付勉強机等についても使用されるものについても同様に言えるものである。
【００２２】
【発明の実施の形態】
以上のように構成した本発明を、図面に示した実施の形態であるダウン灯１００について説明すると、次の通りである。
【００２３】
さて、図１には、本発明に係るダウン灯１００を適用したレンヂフードの正面図が示してあり、このレンヂフードの下部内部に、当該ダウン灯１００が収納・固定してある。なお、このレンヂフードは、レンヂやその上の調理中の調理器から生ずる油煙や水蒸気、あるいは燃焼ガスを吸引して外部へ排出するためのものであり、レンヂやその上の調理中の調理器上を覆うものである。
【００２４】
このレンヂフードの下面側には、レンヂフード本体の下面を覆うためのボトム板２００が取り付けられるものであり、このボトム板２００には、図２にも示すように、ダウン灯１００を挿入して固定するための開口２１０が形成してある。すなわち、本実施形態のダウン灯１００は、レンヂフード等の家具下部や天井の下面に取り付けたボトム板２００の開口２１０から挿入・取付けられる取付ケース１０を介して、レンヂ等の家具の上面を照らすランプ３０を支持したものなのである。
【００２５】
そして、本発明に係るダウン灯１００は、図２〜図４に示したように、取付ケース１０の下端開口１１、またはこれに取り付けられる装飾板２０に、ボトム板２００の開口２１０を覆うフランジ２１を一体化し、かつ取付ケース１０の外側面に固定脚片５０を取付けたものである。
【００２６】
なお、本実施形態において採用しているランプ３０は、図４に示したように、全体をカバーやガラスケース等によって包み込んだキセノンランプであり、その発光体をカバー等によって完全に保護したものである。このような形態のランプ３０は、ダウン灯１００側の上記構成による油煙からの保護とともに、交換作業時の手指からの油の付着を防止することができるものであって、それ自身耐久性に優れたものである。
【００２７】
取付ケース１０は、図３にも示したように、ランプ３０を収納するのに適した大きさの円筒状のものであり、図２に示した実施形態のものにあっては、その下端開口１１に装飾板２０を一体化できるようにしてある。勿論、この取付ケース１０内に収納したランプ３０に対しては電力供給のための電線を接続しなければならないから、この電線を上側から挿通するための電線挿通口１２が、当該取付ケース１０の上端部に形成してある。
【００２８】
本実施形態の取付ケース１０に対しては、図２及び図４に示したように、ボトム板２００の開口２１０を覆うための装飾板２０が取り付けられるのであるが、この装飾板２０の下端にはボトム板２００の下面に固定されるべきフランジ２１が一体化してある。このフランジ２１は、例えば図７に示すように、取付ケース１０の下端開口１１に一体的に形成して実施してもよいものである。なお、装飾板２０の中央には、取付ケース１０内に収納したランプ３０の収納や位置決め等を行うための開口が形成してある。
【００２９】
また、本実施形態の装飾板２０においては、図２及び図４に示したように、支持枠４０のための取付穴２２が形成してある。つまり、支持枠４０は、図３の（ロ）及び図４に示したように、円環状のものであり、装飾板２０側に取り付けられたとき、ランプ３０の下面外周を取付ケース１０に対して支持することになる受け止めフランジ４２を有したものであるが、この支持枠４０の上端に形成した支持爪４１を係止するための取付穴２２が装飾板２０側の所定箇所に形成してあるのである。
【００３０】
従って、本実施形態のダウン灯１００においては、その支持枠４０に一体形成した各支持爪４１を、取付ケース１０側の装飾板２０に形成してある各取付穴２２内に挿通することにより、取付ケース１０側に対する支持枠４０の取付けが簡単になされるのであり、この取付が完了したときには、図２に示したように、取付ケース１０内に収納してあるランプ３０の下方からの支持を当該支持枠４０の受け止めフランジ４２によって確実に行うことになるのである。換言すれば、支持枠４０の中央に受け止めフランジ４２によって形成した投光のための開口は、ランプ３０によって完全に塞がれるのであり、その他には何等の開口も存在しないことになって、取付ケース１０内に対して燃焼ガスや油煙の侵入を許容するような隙間が形成されることはないのである。
【００３１】
以上のフランジ２１や支持枠４０は、図７に示したように実施してもよい。すなわち、この図７のダウン灯１００においては、取付ケース１０の下端開口１１に、ボトム板２００の下面に固定すべきフランジ２１を一体的に形成したものであり、取付ケース１０の下端開口１１の下部内側に支持枠４０を取り付けるようにしたものである。取付ケース１０に対する支持枠４０の取付は、例えば取付ケース１０の下部内面に係合凹所を形成しておいて、この係合凹所内に各支持爪４１が係合するようにすることによってなされている。
【００３２】
このダウン灯１００では、取付ケース１０内に収納されるランプ３０の下面を、取付ケース１０の下端開口１１に取り付けられる支持枠４０の受け止めフランジ４２によって受け止めるようにしているから、ランプ３０を交換する際の作業が行い易くなっているのである。すなわち、このダウン灯１００においては、交換したいランプ３０の下面を少し押し上げると、ランプ３０と支持枠４０側の受け止めフランジ４２との間に指や工具が入れられる隙間が簡単に形成されるのである。従って、この隙間内に工具等を挿入してこじれば、支持枠４０を取付ケース１０側から簡単に外すことができるのである。何故なら、支持枠４０は、各支持爪４１を介して装飾板２０または取付ケース１０側に単に係合しただけだからである。
【００３３】
さて、取付ケース１０の外周に取り付けた固定脚片５０であるが、本実施形態の各固定脚片５０は、図２〜図６に示したように形成してある。すなわち、各固定脚片５０は、ある程度の弾力性を有する金属等の材料によって一体形成したものであり、取付ケース１０が開口２１０内に完全に収納されたとき、ボトム板２００の開口２１０端縁の内側であってフランジ２１上面に係合したままとなる第１係合片５１と、この第１係合片５１より短くして、ボトム板２００の内側上面に係合することになる第２係合片５２とを、その下端に形成したものである。
【００３４】
図面に示した実施形態のダウン灯１００では、その取付ケース１０の左右に一対の固定脚片５０を固定したが、これらの固定脚片５０の数は３個以上に増加させて実施してもよいものである。また、第１係合片５１及び第２係合片５２についても、図示した例に限らす、それらの数や組合せを適宜変更して実施してもよいものである。
【００３５】
以上の固定脚片５０は、図２の状態にまで挿入された取付ケース１０の下方への動きを、ボトム板２００の内側上面に係合した第２係合片５２によって阻止するのであり、かつ固定脚片５０全体が図２に示したような僅かな屈曲状態になることによって、取付ケース１０の上方への支持を、各第１係合片５１を介した固定脚片５０全体の弾発力によって行うのである。固定脚片５０の屈曲状態は、図２にも示したように僅かなものであるから、当該取付ケース１０のボトム板２００に対する支持が長期間になったとしても、固定脚片５０の弾力性が減退することはなく、その支持固定状態は長期間確実に維持される。
【００３６】
図７には、他の実施例に係るダウン灯１００が示してあるが、このダウン灯１００は、次に述べる点を除いては、図２等に示したダウン灯１００と同様であるので、共通する部材について図７中に共通符号を付して、その説明を省略することとする。
【００３７】
この図７に示したダウン灯１００では、そのランプ３０の上端と取付ケース１０の上端部との間に、スプリング６０が介装してあり、このスプリング６０は、ランプ３０の下面（投光する側の面）を、上述した支持枠４０側の受け止めフランジ４２に押圧するものである。
【００３８】
つまり、このダウン灯１００では、ランプ３０がスプリング６０によってフランジ２１側に常に押圧され、レンヂフード等に与えられるスイッチ操作時等の振動によって、ランプ３０が振動したり位置することはなく、ランプ３０のボトム板２００に対する支持が確実になされるのである。また、仮にボトム板２００が傾斜するものであったとしても、スプリング６０がランプ３０をフランジ２１側に常に押圧しているのであるから、このランプ３０と取付ケース１０側との間に隙間が形成されることはなく、油煙や冷たい空気の流れを許容する隙間を形成するようなことはないのである。
【００３９】
【発明の効果】
以上、詳述した通り、本発明においては、上記実施形態にて例示した如く、
「取付ケース１０の下端開口１１、またはこれに取り付けられる装飾板２０に、ボトム板２００の開口２１０を覆うフランジ２１を一体化するとともに、このフランジ２１の内側に支持枠４０を取付け、かつ取付ケース１０の外側面に固定脚片５０を取付け、
この固定脚片５０の下端に、取付ケース１０が開口２１０内に完全に収納されたとき、ボトム板２００の開口２１０端縁の内側であってフランジ２１上面に係合したままとなる第１係合片５１と、この第１係合片５１より短くして、ボトム板２００の内側上面に係合することになる第２係合片５２とを形成するとともに、
支持枠４０を、取付ケース１０の下部内面に形成した係合凹所、または装飾板２０に形成した取付穴２２に係止される支持爪４１と、この支持爪４１が一体化されていてランプ３０の下面外周を取付ケース１０に対して支持することになる受止めフランジ４２とにより構成したこと」
にその構成上の特徴があり、これにより、レンヂフード等の家具下部や天井の下面に対する、レンヂ等の家具の上面を照らすダウン灯の取付を簡単に行うことができ、取付後はその支持固定を長期間確実に維持することができて、十分な気密性を維持することのできるダウン灯１００を簡単な構成によって提供することができるのである。
【００４０】
また、このダウン灯１００について、ランプ３０と取付ケース１０との間に、ランプ３０をフランジ２１側に押圧するスプリング６０を介装すれば、家具下部等に取付けたボトム板側に対するランプの位置決めを常時確実に行うことのできるダウン灯１００を簡単な構成によって提供することができるのである。
【００４１】
そして、本発明に係るダウン灯１００では、取付ケース１０内に収納されるランプ３０の下面を、取付ケース１０の下端開口１１に取り付けられる支持枠４０の受け止めフランジ４２によって受け止めるようにしているから、上述したような効果を発揮することができるだけでなく、ランプ３０を交換する際の作業が簡単に行うことができるのである。
【図面の簡単な説明】
【図１】本発明に係るダウン灯を適用したレンヂフードの概略正面図である。
【図２】ボトム板の開口に取り付けた本発明に係るダウン灯の拡大断面図である。
【図３】同ダウン灯の外観を示すものであり、（イ）は斜め上方からみたダウン灯の斜視図、（ロ）は斜め下方からみたダウン灯の斜視図である。
【図４】同ダウン灯の分解斜視図である。
【図５】同ダウン灯に取り付けた固定脚片の下端部を示す部分拡大正面図である。
【図６】図５の固定脚片を使用してダウン灯をボトム板に取り付けた時の部分破断斜視図である。
【図７】本発明の他の実施例を示す断面図である。
【図８】従来のダウン灯を示す断面図である。
【符号の説明】
１００  ダウン灯
１０  取付ケース
１１  下端開口
１２  電線挿通口
２０  装飾板
２１  フランジ
２２  取付穴
３０  ランプ
４０  支持枠
４１  支持爪
４２  受け止めフランジ
５０  固定脚片
５１  第１係合片
５２  第２係合片
６０  スプリング
２００  ボトム板
２１０  開口
【図１】
0003581998.tif 000002
【図２】
0003581998.tif 000003
【図３】
0003581998.tif 000004
【図４】
0003581998.tif 000005
【図５】
0003581998.tif 000006
【図６】
0003581998.tif 000007
【図７】
0003581998.tif 000008
【図８】
0003581998.tif 000009